(57)【要約】【課題】  建物の構造強度を確保しながら、建物の隅角部で交差する２個の壁パネルのそれぞれに掃出開口を設けること。【解決手段】  建物の隅角部で交差する２個の壁パネル２２、２２Ａのそれぞれに掃出開口２３、２３Ａを設けた木質系ユニット建物１０であって、前記隅角部に設けられる隅柱１０１Ａの下端部を引抜き力に抵抗する金物６０により下部構造体に接続し、該隅柱１０１Ａの上端部を引抜き力及び剪断力に抵抗する金物７０により上部構造体に接続し、前記掃出開口２３、２３Ａの下部を引抜き力に抵抗する金物６０により下部構造体に接続し、該掃出開口２３、２３Ａの上部に垂壁８０を設けるもの。【選択図】  図１
2006083585.tif 000002
【特許請求の範囲】
【請求項１】
建物の隅角部で交差する２個の壁パネルのそれぞれに掃出開口を設けた木質系ユニット
建物であって、
前記隅角部に設けられる隅柱の下端部を引抜き力に抵抗する金物により下部構造体に接
続し、該隅柱の上端部を引抜き力及び剪断力に抵抗する金物により上部構造体に接続し、
前記掃出開口の下部を引抜き力に抵抗する金物により下部構造体に接続し、該掃出開口
の上部に垂壁を設ける木質系ユニット建物。
【請求項２】
前記２個の壁パネルのうちの少なくとも一方の壁パネルが、２個の建物ユニットの床パ
ネルに跨って立設される渡り壁パネルである請求項１に記載の木質系ユニット建物。
【発明の詳細な説明】
【技術分野】
【０００１】
本発明は木質系ユニット建物に関する。
【背景技術】
【０００２】
従来、両面開口を備えた木質系ユニット建物として、特許文献１に記載の如く、建物の
隅角部で交差する２個の壁パネルのそれぞれに開口を設けたものがある。
【非特許文献１】枠組壁工法住宅工事共通仕様書平成13年度版
【発明の開示】
【発明が解決しようとする課題】
【０００３】
非特許文献１の木質系ユニット建物では、建物の構造強度を確保する必要から、前記２
個の壁パネルのそれぞれに設ける開口の少なくとも一方に腰壁を設ける必要がある。従っ
て、２個の壁パネルのそれぞれに設ける開口をともに掃出開口とすることができない。
【０００４】
本発明の課題は、建物の構造強度を確保しながら、建物の隅角部で交差する２個の壁パ
ネルのそれぞれに掃出開口を設けることにある。
【課題を解決するための手段】
【０００５】
請求項１の発明は、建物の隅角部で交差する２個の壁パネルのそれぞれに掃出開口を設
けた木質系ユニット建物であって、前記隅角部に設けられる隅柱の下端部を引抜き力に抵
抗する金物により下部構造体に接続し、該隅柱の上端部を引抜き力及び剪断力に抵抗する
金物により上部構造体に接続し、前記掃出開口の下部を引抜き力に抵抗する金物により下
部構造体に接続し、該掃出開口の上部に垂壁を設けるようにしたものである。
【０００６】
請求項２の発明は、請求項１の発明において更に、前記２個の壁パネルのうちの少なく
とも一方の壁パネルが、２個の建物ユニットの床パネルに跨って立設される渡り壁パネル
であるようにしたものである。
【発明の効果】
【０００７】
（請求項１）
(a)隅柱の下端部を引抜き力に抵抗する金物により下部構造体に接続すること、隅柱の
上端部を引抜き力及び剪断力に抵抗する金物により上部構造体に接続すること、掃出開口
の下部を引抜き力に抵抗する金物により下部構造体に接続すること、掃出開口の上部に垂
壁を設けることにより、建物の構造強度を確保しながら、建物の隅角部で交差する２個の
壁パネルのそれぞれに掃出開口を設けることができる。
【０００８】
（請求項２）
(b)２個の建物ユニットに跨る渡り壁パネルを設けることにより、２個の建物ユニット
の間の接合強度を増しながら、上述(a)により建物の構造強度を確保しながら、建物の隅
角部で交差する２個の壁パネルのそれぞれに掃出開口を設けることができる。
【０００９】
(c)渡り壁パネルに設ける掃出開口を、２個の建物ユニットに渡る広巾開口とすること
もできる。
【発明を実施するための最良の形態】
【００１０】
図１は実施例１の木質系ユニット建物の一部を示す斜視図、図２は渡り壁パネルの据付
過程を示す斜視図、図３は渡り壁パネルの位置決め状態を示す斜視図、図４は渡り壁パネ
ルの固定状態を示す斜視図、図５はＬ字形金物の取付状態を示し、（Ａ）は斜視図、（Ｂ
）は平面図、（Ｃ）は側面図、図６はホールダウンケーブルの取付状態を示し、（Ａ）は
図４のVI−VI線に沿う断面図、（Ｂ）は（Ａ）のＢ−Ｂ線に沿う矢視図、図７はホールダ
ウンケーブルを示す斜視図、図８は実施例２の木質系ユニット建物の一部を示す斜視図、
図９はホールダウン金物の取付状態を示し、（Ａ）は図８のIX−IX線に沿う断面図、（Ｂ
）は（Ａ）のＢ−Ｂ線に沿う矢視図である。
【実施例】
【００１１】
（実施例１）（図１〜図７）
図１、図２は、実施例１の木質系ユニット建物１０の一部を示すものであり、下部構造
体としての基礎１１の上に、３個の長尺下階建物ユニット２０を据付け、各下階建物ユニ
ット２０の上に上部構造体としての短尺上階建物ユニット３０をセットバックして据付け
、各下階建物ユニット２０の上の上階建物ユニット３０に対する前側に上部構造体として
の屋根ユニット４０を搭載したものである。
【００１２】
下階建物ユニット２０は、床パネル２１の外縁部に壁パネル２２を立設したものである
。また、上階建物ユニット３０は、床パネル３１の外縁部に壁パネル３２を立設したもの
である。
【００１３】
木質系ユニット建物１０は、建物の隅角部で交差する２個の壁パネル２２、２２のうち
の一方を、２個の下階建物ユニット２０、２０の床パネル２１、２１に跨って立設される
渡り壁パネル２２Ａとし、それらの壁パネル２２、２２Ａのそれぞれに掃出開口２３、２
３Ａを設けた。掃出開口２３、２３Ａは、開口下端部を床パネル２１の床面レベルに設定
したものであり、腰壁を有さない。
【００１４】
壁パネル２２（２２Ａも同じ）は、壁枠組１００を縦枠材１０１、上枠材１０２、下枠
材１０３の枠組により構成し、壁枠組１００の内外面に内壁面材１０４、外壁面材１０５
を貼り設けて構成される。渡り壁パネル２２Ａは、壁枠組１００の一端側に隅柱１０１Ａ
を設け、他端側に継ぎ柱１０１Ｂを設けている。
【００１５】
木質系ユニット建物１０は、基礎１１の上に以下の如くにして構築される。
(1)工場生産された下階建物ユニット２０を基礎１１の上に据付け、下階建物ユニット
２０の上に上階建物ユニット３０、屋根ユニット４０を据付ける。下階建物ユニット２０
は、掃出開口２３が設けられた壁パネル２２を床パネル２１の外縁部に立設して備える。
【００１６】
(2)掃出開口２３Ａが設けられた渡り壁パネル２２Ａを上述(1)の２個の下階建物ユニッ
ト２０、２０の床パネル２１、２１に跨って立設するように吊り込む（図３）。このとき
、渡り壁パネル２２Ａが交差することとなる下階建物ユニット２０の壁パネル２２は調整
筋交い１により垂直になるように設置され、下階建物ユニット２０の床パネル２１には渡
り壁パネル２２Ａの位置決め用Ｌ字形金具２が設置されている。従って、渡り壁パネル２
２Ａは、下枠材１０３の内側面をＬ字形金具２に合わせ、隅柱１０１Ａ、継ぎ柱１０１Ｂ
が相隣接する壁パネル２２の縦枠材１０１に平行になるように立設される。
【００１７】
(3)下階建物ユニット２０は、基礎１１に植設してある例えばM12のアンカーボルト５１
に、床パネル２１を締結する。また、下階建物ユニット２０は、壁パネル２２、２２Ａの
上枠材１０２と、上階建物ユニット３０、屋根ユニット４０とを例えばM12のボルト５２
により締結する。
【００１８】
(4)木質系ユニット建物１０は、建物の隅角部で交差する２個の壁パネル２２、２２Ａ
のそれぞれに掃出開口２３、２３Ａを上述の如くに設けるに際し、建物の構造強度を確保
するため、下記(i)〜(iv)の構造を具備する。
【００１９】
(i)木質系ユニット建物１０の隅角部に位置することとなる渡り壁パネル２２Ａの一端
側の隅柱１０１Ａの下端部を、図６に示す如く、引抜き力に抵抗する金物としてのホール
ダウン（ＨＤ）ケーブル６０により基礎１１に接続する。
【００２０】
ホールダウンケーブル６０は、図７に示す如く、例えば10mm直径のステンレス鋼ワイヤ
からなるケーブル６０Ａの上端部に上筒状部材６０Ｂを固着し、ケーブル６０Ａの下端部
に下筒状部材６０Ｃを係止し、ケーブル６０Ａの中間部にスプリングワッシャ６０Ｄ、座
金６０Ｅを挿着する。
【００２１】
隅柱１０１Ａのホールダウンケーブル６０が設けられる側面には引寄せ金物６１がボル
ト及び釘打ち固定される。ホールダウンケーブル６０の上筒状部材６０Ｂをスプリングワ
ッシャ６０Ｄ、座金６０Ｅとともに引寄せ金物６１の受板６１Ａに乗せた状態で、下筒状
部材６０Ｃを渡り壁パネル２２Ａの下枠材１０３の穴に落とし込み、基礎１１に植設して
ある例えばM16のアンカーボルト５１に下筒状部材６０Ｃを螺着して締結する。
【００２２】
(ii)隅柱１０１Ａの上端部にＬ字形金物７０を釘打ち固定する。Ｌ字形金物７０は、図
４、図５に示す如く、渡り壁パネル２２Ａの隅柱１０１Ａ、上枠材１０２と壁パネル２２
の縦枠材１０１、上枠材１０２に釘打ち固定される。Ｌ字形金物７０の仕様（強度）は上
階の耐力壁の壁倍率に応じて定める。Ｌ字形金物７０は、渡り壁パネル２２Ａの上枠材１
０２に植設されてＬ字形金物７０の長孔７０Ａから屋根ユニット４０の側に立上がるボル
ト５２とともに、隅柱１０１Ａの上端部を屋根ユニット４０に接続し、引抜き力及び剪断
力に抵抗する金物を構成する。
【００２３】
(iii)壁パネル２２、２２Ａにおける掃出開口２３、２３Ａの下部を引抜き力に抵抗す
る金物としてのホールダウンケーブル６０により基礎１１に接続する。
【００２４】
ホールダウンケーブル６０は、前述(i)におけると同様にして、壁パネル２２、２２Ａ
の縦枠材１０１、継ぎ柱１０１Ｂにボルト及び釘打ち固定された引寄せ金物６１と、基礎
１１のアンカーボルト５１との間に延在される。
【００２５】
(iv)壁パネル２２、２２Ａにおける掃出開口２３、２３Ａの上部に垂壁（まぐさ）８０
を設ける。垂壁８０は例えば高さ455mm以上が好ましい。
【００２６】
実施例１の木質系ユニット建物１０によれば以下の作用効果を奏する。
(a)隅柱１０１Ａの下端部を引抜き力に抵抗するホールダウンケーブル６０により下部
構造体（基礎１１）に接続すること、隅柱１０１Ａの上端部を引抜き力及び剪断力に抵抗
するＬ字形金物７０により上部構造体（屋根ユニット４０）に接続すること、掃出開口２
３、２３Ａの下部を引抜き力に抵抗するホールダウンケーブル６０により下部構造体（基
礎１１）に接続すること、掃出開口２３、２３Ａの上部に垂壁８０を設けることにより、
建物の構造強度を確保しながら、建物の隅角部で交差する２個の壁パネル２２、２２Ａの
それぞれに掃出開口２３、２３Ａを設けることができる。
【００２７】
(b)２個の建物ユニット２０、２０に跨る渡り壁パネル２２Ａを設けることにより、２
個の建物ユニット２０、２０の間の接合強度を増しながら、上述(a)により建物の構造強
度を確保しながら、建物の隅角部で交差する２個の壁パネル２２、２２Ａのそれぞれに掃
出開口２３、２３Ａを設けることができる。
【００２８】
(c)渡り壁パネル２２Ａに設ける掃出開口２３Ａを、２個の建物ユニット２０、２０に
渡る広巾開口とすることもできる。
【００２９】
（実施例２）（図８、図９）
実施例２の木質系ユニット建物１０Ａが実施例１の木質系ユニット建物１０と異なる点
は、図８に示す如く、木質系ユニット建物１０Ａを総２階としたことにある。木質系ユニ
ット建物１０Ａは、基礎１１の上に据付けた各下階建物ユニット２０の上に、該下階建物
ユニット２０と同サイズの上階建物ユニット３０を据付けて構築される。
【００３０】
木質系ユニット建物１０Ａの建物ユニット２０、３０は、木質系ユニット建物１０の建
物ユニット２０、３０と同様に構成され、下階建物ユニット２０は床パネル２１、壁パネ
ル２２を有し、上階建物ユニット３０は床パネル３１、壁パネル３２を有する。
【００３１】
木質系ユニット建物１０Ａは基礎１１の上に以下の如くにして構築される。
(1)下階建物ユニット２０を基礎１１の上に据付け、下階建物ユニット２０の上に上階
建物ユニット３０を据付ける。下階建物ユニット２０は、掃出開口２３が設けられた壁パ
ネル２２を床パネル２１の外縁部に立設して備える。
【００３２】
(2)木質系ユニット建物１０における前述(2)と同じ。
【００３３】
(3)木質系ユニット建物１０における前述(3)と同じ。
【００３４】
(4)(i)木質系ユニット建物における前述(4)(i)と同じ。
【００３５】
(ii)隅柱１０１Ａの上端部を、図９に示す如く、引抜き力及び剪断力に抵抗する金物と
してのホールダウン（ＨＤ）金物９０により上階建物ユニット３０に接続する。ホールダ
ウン金物９０は帯板金物によって代えることもできる。
【００３６】
ホールダウン金物９０は、渡り壁パネル２２Ａの隅柱１０１Ａの側面にボルト及び釘打
ち固定される下引寄せ金物９１と、上階建物ユニット３０の床パネル３１の床根太３１Ａ
に釘打ち固定される中間金物９２と、上階建物ユニット３０の壁パネル３２の縦枠材３２
Ａにボルト及び釘打ち固定される上引寄せ金物９３とから構成される。ホールダウン金物
９０は、下引寄せ金物９１と中間金物９２を例えばM16のボルト９１Ａにより締結すると
ともに、上引寄せ金物９３と中間金物９２を例えばM16のボルト９３Ａにより締結するこ
とにて、隅柱１０１Ａを上階建物ユニット３０に接続する。
【００３７】
(iii)木質系ユニット建物１０における前述(4)(iii)と同じ。
(iv)木質系ユニット建物１０における前述(4)(iv)と同じ。
【００３８】
従って、実施例２の木質系ユニット建物１０Ａにあっても、実施例１の木質系ユニット
建物１０におけると同様にして、建物の構造強度を確保しながら、建物の隅角部で交差す
る２個の壁パネル２２、２２Ａのそれぞれに掃出開口２３、２３Ａを設けることができる
。
【００３９】
以上、本発明の実施例を図面により詳述したが、本発明の具体的な構成はこの実施例に
限られるものではなく、本発明の要旨を逸脱しない範囲の設計の変更等があっても本発明
に含まれる。
【図面の簡単な説明】
【００４０】
【図１】図１は実施例１の木質系ユニット建物の一部を示す斜視図である。
【図２】図２は渡り壁パネルの据付過程を示す斜視図である。
【図３】図３は渡り壁パネルの位置決め状態を示す斜視図である。
【図４】図４は渡り壁パネルの固定状態を示す斜視図である。
【図５】図５はＬ字形金物の取付状態を示し、（Ａ）は斜視図、（Ｂ）は平面図、（Ｃ）は側面図である。
【図６】図６はホールダウンケーブルの取付状態を示し、（Ａ）は図４のVI−VI線に沿う断面図、（Ｂ）は（Ａ）のＢ−Ｂ線に沿う矢視図である。
【図７】図７はホールダウンケーブルを示す斜視図である。
【図８】図８は実施例２の木質系ユニット建物の一部を示す斜視図である。
【図９】図９はホールダウン金物の取付状態を示し、（Ａ）は図８のIX−IX線に沿う断面図、（Ｂ）は（Ａ）のＢ−Ｂ線に沿う矢視図である。
【符号の説明】
【００４１】
１０、１０Ａ  木質系ユニット建物
１１  基礎（下部構造体）
２０  下階建物ユニット
２１  床パネル
２２  壁パネル
２２Ａ  渡り壁パネル
２３、２３Ａ  掃出開口
３０  上階建物ユニット（上部構造体）
４０  屋根ユニット（上部構造材）
６０  ホールダウンケーブル（金物）
７０  Ｌ字形金物（金物）
８０  垂壁
９０  ホールダウン金物（金物）
１０１Ａ  隅柱
【図１】
2006083585.tif 000003
【図２】
2006083585.tif 000004
【図３】
2006083585.tif 000005
【図４】
2006083585.tif 000006
【図５】
2006083585.tif 000007
【図６】
2006083585.tif 000008
【図７】
2006083585.tif 000009
【図８】
2006083585.tif 000010
【図９】
2006083585.tif 000011